【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
指定された銘柄に関し、所定個数の売り値、所定個数の買い値、前記売り値のそれぞれに対応する売り板枚数、及び前記買い値のそれぞれに対応する買い板枚数、と言った数量値を含む板情報を所定周期で入力するための入力手段（２０２ｂ）と、
前記入力手段により所定周期で入力される前記板情報を記憶するための記憶手段（２０１ｃ）と、
前記記憶手段に記憶された前記板情報に基づいて、
前記売り値及び前記買い値のそれぞれに相当する一連の「値」数字を所定間隔で上下方向一列に配列してなる「値」数字列（ＮＬ１）と、
前記売り板枚数のそれぞれに相当する一連の「売り板枚数」数字を、対応する前記売り値と前記売り板枚数とが隣接するようにして、前記「値」数字列の一方の側に隣接させて一列に配置してなる「売り板枚数」数字列（ＮＬ２）と、
前記買い板枚数のそれぞれに相当する一連の「買い板枚数」数字を、対応する前記買い値と前記買い板枚数とが隣接するようにして、前記「値」数字列の他方の側に隣接させて一列に配置してなる「買い板枚数」数字列（ＮＬ３）とからなる、
板情報基本画像（Ｇ１）を少なくとも生成し、前記板情報基本画像を、所定の画像表示器のスクリーン上に表示させる画像表示手段（ステップ１３０６）と、
を有する相場情報表示装置であって、
前記画像表示手段（ステップ１３０６）は、前記板情報及び／又は前記板情報を加工して得られた加工情報を、それらの情報に含まれる数量値が所定のグラフィック特徴量に変換された、板情報補助画像を生成し、前記板情報補助画像を前記板情報基本画像に付加して、前記画像表示器（２０３ａ）の表示スクリーン（２０３ａ−１）上に表示させる、ように仕組まれており、
前記板情報補助画像が、
最低売り値から所定個数分の一連の売り値のそれぞれに対応する売り板枚数を単純加算又は重み付け加算して得られる売り板総数をグラフィカルに表す売り板総数対応画像（Ｇ４１）、
最高買い値から所定個数分の一連の買い値のそれぞれに対応する買い板枚数を単純加算又は重み付け加算して得られる買い板総数をグラフィカルに表す買い板総数対応画像（Ｇ５１）、及び
前記売り板総数と前記買い板総数との比較結果をグラフィカルに表す総数比較結果対応画像（Ｇ６）、
の少なくとも１つを含む、相場情報表示装置。
【請求項２】
前記板情報補助画像が、
前記一連の売り板枚数のそれぞれの数量をグラフィカルに表す値別売り板枚数対応画像（Ｇ２１〜Ｇ２５）をさらに含み、
前記値別売り板枚数対応画像（Ｇ２１〜Ｇ２５）が、
前記板情報基本画像（Ｇ１）において、前記「値」数字列（ＮＬ１）を挟んで、各「売り板枚数」数字列（ＮＬ２）と反対の側の空きスペースに配置され、かつ所定の最大表示長（Ｌｍａｘ）の範囲で正規化された、売り板枚数対応長（ＳＬ１〜ＳＬ５）を有する売り板色のバー（２１〜２５）である、請求項１に記載の相場情報表示装置。
【請求項３】
前記板情報補助画像が、
前記一連の買い板枚数のそれぞれの数量をグラフィカルに表す値別買い板枚数対応画像（Ｇ３１〜Ｇ３５）をさらに含み、
前記値別買い板枚数対応画像（Ｇ３１〜Ｇ３５）が、
前記板情報基本画像（Ｇ１）において、前記「値」数字列（ＮＬ１）を挟んで、各「買い板枚数」数字列（ＮＬ３）と反対の側の空きスペースに配置され、かつ所定の最大表示長（Ｌｍａｘ）の範囲で正規化された、買い板枚数対応長（ＢＬ１〜ＢＬ５）を有する買い板色のバー（３１〜３５）である、請求項１に記載の相場情報表示装置。
【請求項４】
前記売り板総数対応画像（Ｇ４１）が、
前記板情報基本画像（Ｇ１）に隣接するその上部にあって、前記「値」数字列（ＮＬ１）の延長線に対して、前記「売り板枚数」数字列（ＮＬ２）と反対の側に配置され、かつ所定の最大表示長（Ｌｍａｘ）の範囲で正規化された、売り板総数対応長（ＳＴＬ）を有する売り板色のバー（４１）である、請求項１に記載の相場情報表示装置。
【請求項５】
前記買い板総数対応画像（Ｇ５１）が、
前記板情報基本画像（Ｇ１）に隣接するその上部にあって、前記「値」数字列（ＮＬ１）の延長線に対して、前記「買い板枚数」数字列（ＮＬ３）と反対の側に配置され、かつ所定の最大表示長（Ｌｍａｘ）の範囲で正規化された、買い板総数対応長（ＢＴＬ）を有する買い板色のバー（５１）である、請求項１に記載の相場情報表示装置。
【請求項６】
前記総数比較結果対応画像（Ｇ６）が、
前記板情報基本画像（Ｇ１）に隣接するその上部にあって、前記「値」数字列（ＮＬ１）の延長線上に配置され、かつ前記総数比較結果の売り板総数大、買い板総数大に応じて、下向きの売り板色、上向きの買い板色となる方向性記号（６）である、請求項１に記載の相場情報表示装置。
【請求項７】
前記板情報基本画像（Ｇ１）及び前記板情報補助画像（Ｇ２１〜２５，Ｇ３１〜３５，Ｇ４１，Ｇ５１，Ｇ６）が、
前記画像表示器の表示スクリーン上にあって、相場チャート表示用のメインウィンドウ（Ｗ１）に隣接して開かれた売買判断情報表示用のサブウィンドウ（Ｗ２）内に表示される、請求項１〜６のいずれかに記載の相場情報表示装置。
【請求項８】
前記メインウィンドウ（Ｗ１）内の所定領域には、指定された銘柄について、指定された単位期間毎にサンプルされた一連の終値データに基づいて作成されてた短期、中期、長期の増田足曲線を有する増田足チャートを含む画像（Ｇ７）が表示される、請求項７に記載の相場情報表示装置。
【請求項９】
前記サブウィンドウ（Ｗ２）内の所定領域には、前記一連の終値データに、所定の判定ルールを適用することにより自動判定された相場の目先トレンドを端的に表すトレンド記号を含む画像（Ｇ９）がさらに表示される、請求項８に記載の相場情報表示装置。
【請求項１０】
前記サブウィンドウ（Ｗ２）内の所定領域には、前記一連の終値データに基づいて作成された短期増田影足曲線を構成する直近所定本数以内の影足列を含む画像（Ｇ１０）がさらに表示される、請求項９に記載の相場情報表示装置。
【請求項１１】
前記サブウィンドウ（Ｗ２）内の所定領域には、前記直近所定本数以内の影足列に、所定の判定ルールを適用することにより自動判定された相場の目先トレンドを表すコメント文を含む画像（Ｇ１１）がさらに表示される、請求項１０に記載の相場情報表示装置。
【請求項１２】
前記表示スクリーン上には、所定の操作に応じて、相場チャート表示用の別ウィンドウ（Ｗ３）が重ねて開かれ、前記別ウィンドウ内には、前記銘柄について、指定された前記単位期間とは異なる別の単位期間毎にサンプルされた一連の始値、終値、高値、安値の各データに基づいて作成されたローソク足チャート及び／又は増田足チャートを含む画像が表示される、請求項１１に記載の相場情報表示装置。
【請求項１３】
前記指定された銘柄がミニ日経２２５先物であり、
前記メインウィンドウ内に増田足チャートを表示させる際に指定される単位期間が５分であり、
前記別ウィンドウ内にローソク足チャート及び／又は増田足チャートを表示させる際に指定される単位期間が１分である、請求項１２に記載の相場情報表示装置。
【請求項１４】
請求項１〜１３のいずれかに記載の相場情報表示装置としてコンピュータを機能させるためのコンピュータプログラム。
【請求項１５】
クライアント・アンド・サーバシステムにおけるサーバ装置として構成される請求項１〜１３のいずれかに記載の相場情報表示装置。
【請求項１６】
クライアント・アンド・サーバシステムにおけるクライアント機として構成される請求項１〜１３のいずれかに記載の相場情報表示装置。
【手続補正２】
【補正対象書類名】明細書
【補正対象項目名】００２２
【補正方法】変更
【補正の内容】
【００２２】
加えて、この発明に係る相場情報表示装置は、前記板情報補助画像が、最低売り値から高値側へ所定個数分（例えば、３〜５個分）の一連の売り値のそれぞれに対応する売り板枚数を単純加算又は重み付け加算（例えば、最低売り値に近いほど大きな重み付けをしたのち、それらを加算する）して得られる売り板総数をグラフィカルに表す売り板総数対応画像、最高買い値から安値側へ所定個数分（例えば、３〜５個分）の一連の買い値のそれぞれに対応する買い板枚数を単純加算又は重み付け加算（例えば、最高買い値に近いほど大きな重み付けをしたのち、それらを加算する）して得られる買い板総数をグラフィカルに表す買い板総数対応画像、及び前記売り板総数と前記買い板総数との比較結果をグラフィカルに表す総数比較結果対応画像、の少なくとも１つを含む。
【手続補正３】
【補正対象書類名】明細書
【補正対象項目名】００２４
【補正方法】変更
【補正の内容】
【００２４】
本発明のさらに好ましい実施の形態においては、前記板情報補助画像が、前記一連の売り板枚数のそれぞれの数量をグラフィカルに表す値別売り板枚数対応画像（Ｇ２１〜Ｇ２５）をさらに含み、前記値別売り板枚数対応画像が、前記板情報基本画像において、前記「値」数字列を挟んで、各「売り板枚数」数字列と反対側の空きスペースに配置され、かつ所定の最大表示長の範囲で正規化された、売り板枚数対応長を有する売り板色のバーであるようにしてもよい。
【手続補正４】
【補正対象書類名】明細書
【補正対象項目名】００２６
【補正方法】変更
【補正の内容】
【００２６】
本発明のさらに好ましい実施の形態においては、前記板情報補助画像が、前記一連の買い板枚数のそれぞれの数量をグラフィカルに表す値別買い板枚数対応画像（Ｇ３１〜Ｇ３５）をさらに含み、前記値別買い板枚数対応画像が、前記板情報記憶画像において、前記「値」数字列を挟んで、各「買い板枚数」数字列と反対の側の空きスペースに配置され、かつ所定の最大表示長の範囲で正規化された、買い板枚数対応長を有する買い板色のバーであるようにしてもよい。
【手続補正５】
【補正対象書類名】明細書
【補正対象項目名】００５１
【補正方法】変更
【補正の内容】
【００５１】
本発明によれば、画像表示器の表示スクリーン上には、板情報基本画像に加えて、当該板情報基本画像の瞬時理解を容易とするための板情報補助画像が表示されることとなるため、この板情報補助画像に基づいて、板情報の内容を瞬時に理解し、適切な売り値又は買い値の設定が可能となる。加えて、本発明によれば、一連の売り板総数、一連の買い板総数、又は売り板総数と買い板総数との比較結果を、数字ではなく、一目瞭然に理解可能なグラフィックを介して、市場参加者に対して、提供することができる。